(57)【要約】【課題】ドアの外側で極力出っ張ることなく見栄えを良好とし、且つドアへの取付けを簡単にすると共に、ドアの施解錠状態の切換表示をズレなく常に正確に行えるドアロック具の表示装置を提供する。【解決手段】ドアロック具の表示装置Ｂは、ロックバー１１に螺設したラック２０と噛み合うピニオン１５を基端に有した回転軸１４の先端に、小歯車２５を備える一方、回転表示体３０には、小歯車と同一平面上で噛み合う内歯車３５を設け、これら内歯車と小歯車とで、ロックバー１１の摺動ストロークに対し回転表示体を半回転以内に減速する減速機構Ｇを形成すると共に、その減速機構を含めて回転表示体を扁平な表示ケース４０内に収納して回転自在に保持してなる。【選択図】          図１
2008144450.tif 000002
【特許請求の範囲】
【請求項１】
ドアに固着する取付体に摺動自在にロックバーを係合させた内側のロック手段とで前記ドアを挟着し、前記ロックバーを摺動させて前記ドアを内側から施解錠すると、そのロックバーの摺動を、前記ロック手段に備えたラックとピニオンとの噛み合いで回転運動に変換し、その回転を外側の回転表示体に伝達し、該回転表示体の異なる区分表示面を切り換えて表示窓からドアの施解錠状態を表示するドアロック具の表示装置において、
前記ピニオンを基端に有した回転軸の先端に小歯車を備える一方、前記回転表示体に、前記小歯車と同一平面上で噛み合う内歯車を設け、該内歯車と前記小歯車とで、前記ロックバーの摺動ストロークに対し前記回転表示体を半回転以内に減速する減速機構を形成すると共に、該減速機構を含めて前記回転表示体を表示ケース内に収納して回転自在に保持してなることを特徴とする、ドアロック具の表示装置。
【請求項２】
前記表示ケースは、前記回転表示体を回転自在に保持する取付基板と、該取付基板に対し前記回転表示体を覆う被覆位置と外部に開放する開放位置との間でスライド自在に係合し、前記表示窓を開けた扁平カバーとで形成してなることを特徴とする、請求項１に記載のドアロック具の表示装置。
【発明の詳細な説明】
【技術分野】
【０００１】
本発明は、ラバトリーブース内のトイレ用ドア等に設置されるもので、ドアの内側からロックバーをスライドさせてドアを施解錠するスライド式のドアロック具で、特にトイレ等の使用・不使用状態を外側から表示するドアロック具の表示装置に関する。
【背景技術】
【０００２】
一般に、この種の表示装置付きドアロック具は、図１０に示すように、ドアＤに固着した取付体１に摺動自在にロックバー２を係合させた内側のロック手段ａと、取手を兼ねた外側の表示装置とでドアＤを挟着し、ロックバー２を摺動させてドアＤを内側から施解錠すると、ロックバー２の摺動を、ロック手段ａに備えたラック３とピニオン４との噛み合いで回転運動に変換し、その回転を回転軸５を介して外側の回転表示体に伝達し、回転表示体の異なる区分表示面を切り換えて表示窓からドアの施解錠状態、即ち、トイレ等の使用・不使用状態を表示する構造になっている。
【０００３】
しかも、従来のドアロック具では、特にロックバー２側に螺設するラック３を、長さ方向中間部の表示切換用ギヤ部３ａと、該ギヤ部３ａの長さ方向両側に設ける非常時解錠用ギヤ部３ｂ・３ｃとに分割し、その中で特に、表示切換用ギヤ部３ａは、ロックバー２を摺動させてラック３でピニオン４を回転させたとき、ピニオン４が回転表示体と一体に半回転する数の歯を設けて形成し、更に、非常時解錠用ギヤ部３ｂ・３ｃは、表示切換用ギヤ部３ａと設置高さ位置を違え、それよりロックバー２の溝部底面２ａ寄りの位置に形成している。そして、常時は、軸基端にピニオン４を設けた回転軸５を、不図示の位置決め用付勢ばねでロックバー２の溝部底面２ａ側へ付勢し、ピニオン４を表示切換用ギヤ部３ａと噛み合える高さ位置に位置決め支持した構造にしている。
【０００４】
そこで、通常時、ロックバー２を往復摺動させると、それに従ってドアＤが施解錠されると同時に、ラック３が表示切換用ギヤ部３ａにおいてピニオン４と噛み合うと、その都度、正逆方向に半回転し、その回転方向に応じて回転表示体の区分表示面を切り換えてドアの施解錠を表示している。一方、非常時は、ドアＤの外側から、非常解錠専用の操作キーを回転表示体の中心小穴に差し込み、位置決め付勢ばねに抗して回転軸５をドアＤの内側へ押し込んで、ピニオン４を非常時解錠用ギヤ部３ｃに噛み合わせる。そして、操作キーを解錠方向へ回してピニオン４を回転させ、ラック３との噛み合いを介してロックバー２を解錠位置へと摺動させてドアＤを非常解錠するようになっている。
【０００５】
しかし、かかる従来のドアロック具では、ロックバー２を往復摺動させると、その都度、回転軸５や回転表示体と共に正逆回転するピニオン４に強い遠心力が加わり、遠心力の強さによっては、ピニオン４が表示切換用ギヤ部３ａとの噛み合い位置を過ぎても、勢いで半回転を越えて回動してしまうことがある。従って、そのようなロックバー２のスライド操作が繰り返される結果、経時、回転表示体の回転角度にズレを生じ、そのために、表示体の区分表示面によってドアＤの施解錠状態を正確に切換表示することができなくなるという問題があった。更に、ドアＤを閉めた使用中であっても、ロックバー２のスライド操作が中途半端であると、不使用状態の区分表示面が表示される場合があり、反対に不使用時でも、使用状態が表示される場合があり、その結果、区分表示面で表示するトイレ等の使用・不使用状態が判然としないことによって、思わぬトラブルを生ずる虞があった。
【０００６】
そこで、出願人は、ロックバーのスライド操作如何に関係なく、回転表示体による正確な切換表示を可能にする表示装置を備えたスライド式のドアロック具を提案している（特許文献１参照）。この従来のドアロック具は、図１１に示すように、回転軸５の先端に、駆動ギヤ６ａ、受動ギヤ６ｂ、大小の中間ギヤ６ｃ・６ｄからなる減速ギヤ列６を連結し、この減速ギヤ列６を取付金具７に取り付けて表示装置ｂ内に組み込み、ピニオン４の回転を減速ギヤ列６で減速して回転表示体８へ伝達する構成になっている。これにより、ロックバー２の摺動ストロークに対して回転表示体８を半回転以内に減速して回転表示体８の異なる区分表示面を正確に切り換え、表示窓９ａから、使用又は不使用のいずれか一方の区分表示面が確実に表示されるようにしている。
【特許文献１】実開平７−１４０４２号公報
【発明の開示】
【発明が解決しようとする課題】
【０００７】
ところで、最近、美的外観性の良さが強く求められるホテルや病院のラバトリーブース等では、トイレ等のドアも、特に、その外側に極力出っ張り部分の少ないスッキリとした見栄えの良好な外観であることが要請されている。
【０００８】
ところが、従来、上述した減速機能付き表示装置ｂは、回転軸５の先端と回転表示体８間に、複数の駆動ギヤ６ａ、受動ギヤ６ｂ、中間ギヤ６ｃ・６ｄを噛み合わせた減速ギヤ列６を介在させて表示カバー９内に組み込んだ構成であるため、それだけ表示装置ｂがドアＤの外側に向けて大きく出っ張り、その結果、見栄えが悪く、美的外観性の強く求められるラバトリーブース等のドアＤに使用するには、望ましくないという課題があった。
【０００９】
しかも、従来のドアロック具の表示装置ｂは、多数の減速ギヤを用いて減速機構を形成した構造であるため、それだけ部品点数が多く、構造が複雑化してコスト高を招くだけでなく、ドアの外側に取り付けるときには、減速ギヤ群を取付金具７に組み付けて減速ギヤ列６を組み立てから、取付金具７をドアＤの外側面にねじ止めし、次いで、減速ギヤ列６の受動ギヤ６ｂを回転表示体８に連結させてから、更に減速ギヤ列６や回転表示体８等に表示カバー９を被せて、取付金具７にビス止めするなど、多数の取付工程を経る必要があるため、それだけ装置の組み立てに余計に時間と手間を要し、面倒であるという課題もあった。
【００１０】
そこで、本発明の目的は、ドアの外側で極力出っ張ることなく見栄えを良好とし、且つドアへの取付けを簡単にすると共に、ドアの施解錠状態の切換表示をズレなく常に正確に行えるドアロック具の表示装置を提供することにある。
【課題を解決するための手段】
【００１１】
そこで、上述した課題を解決すべく、請求項１に記載の発明は、たとえば以下に示す図示実施の形態のとおり、ドアＤに固着する取付体１０に摺動自在にロックバー１１を係合させた内側のロック手段Ａとで前記ドアＤを挟着し、前記ロックバー１１を摺動させて前記ドアＤを内側から施解錠すると、そのロックバー１１の摺動を、前記ロック手段Ａに備えたラック２０とピニオン１５との噛み合いで回転運動に変換し、その回転を外側の回転表示体３０に伝達し、該回転表示体３０の異なる区分表示面３２ａ・３２ｂを切り換えて表示窓５３からドアＤの施解錠状態を表示するドアロック具の表示装置Ｂにおいて、前記ピニオン１５を基端に有した回転軸１４の先端に小歯車２５を備える一方、前記回転表示体３０に、前記小歯車２５と同一平面上で噛み合う内歯車３５を設け、該内歯車３５と前記小歯車２５とで、前記ロックバー１１の摺動ストロークに対し前記回転表示体３０を半回転以内に減速する減速機構Ｇを形成すると共に、該減速機構Ｇを含めて前記回転表示体３０を表示ケース４０内に収納して回転自在に保持してなることを特徴とする。
【００１２】
請求項２に記載の発明は、請求項２に記載のドアロック具の表示装置Ｂにおいて、例えば以下に示す図示実施の形態のとおり、前記表示ケース４０は、前記回転表示体３０を回転自在に保持する取付基板４５と、該取付基板４５に対し前記回転表示体３０を覆う被覆位置と外部に開放する開放位置との間でスライド自在に係合し、前記表示窓５３を開けた扁平カバー５０とで形成してなることを特徴とする。
【発明の効果】
【００１３】
請求項１に記載の発明によれば、表示装置は、スライド可能なロック手段のロックバーに螺設したラックと噛み合うピニオンを基端に有した回転軸の先端に、小歯車を備える一方、回転表示体自体に、小歯車と同一平面上で噛み合う内歯車を設け、それら内歯車と小歯車とで、ロックバーの摺動ストロークに対し回転表示体を半回転以内に減速する減速機構を形成し、その減速機構を含めて回転表示体を表示ケース内に収納して回転自在に保持する簡略な構成であるため、（１）従来の如くロックバーのスライド操作で回転表示体が複数回回転して表示窓から使用・不使用の区分表示面が繰り返し表示され、トイレ等の使用・不使用状態が判然としないことによる、思わぬトラブルの発生を防止し、ロックバーを端までスライドさせずに中途半端に操作しても、使用・不使用の何れか一方の区分表示面を常にズレなく確実に切換表示することができる。しかも、（２）表示装置をドアに取り付けたとき、ドアの外側に出っ張る部分を極力抑えて薄型化が実現し、その結果、ラバトリーブース等でのドア周りの見栄えを良好にし、美的外観性を著しく向上させることができる。加えて、（３）表示装置をドアに取り付けるときには、従来のように多数の取付工程を経る必要がなく、ドアの内側から、その内側面に取付体を当接させたロック手段に対し、ドアを挟んだ外側から、ドアの外側面に表示装置を当接させて連結するだけで、ワンタッチで簡単にドアに取り付けることができる。
【００１４】
請求項２に記載の発明によれば、ドアの施錠状態で使用者がトイレ内で倒れるなど、緊急事態の発生した非常時は、ドアの外側から扁平カバーを回転表示体が外部に臨む開放位置にスライドさせて表示ケースを開けてから、回転表示体を解錠方向へ回動すると、減速機構の内歯車と小歯車が噛合回転して回転軸が回転するため、ラックに噛み合うピニオンが回転し、そのピニオンの回転によってロックバーを解錠位置へとスライドしてドアのロックが解除され、そのように表示ケースを開けて回転表示体を手回しするだけで、非常解錠専用の操作キーなどの非常解錠用工具をわざわざ用いずとも、そのまま簡単にドアを非常解錠することができる。
【発明を実施するための最良の形態】
【００１５】
以下、図面を参照しつつ、本発明の実施の最良形態について説明する。
【００１６】
図１は、本発明の一例である表示装置を破断して示すドアロック具の平面図、図２は、ドアロック具をロック手段と表示装置とに分解して示す斜視図である。図示例のドアロック具は、ラバトリーブース内に設置のトイレ用ドアＤを間に挟んで、ドアＤの内側に取り付けるロック手段Ａと、外側に取り付ける表示装置Ｂとからなる。
【００１７】
ロック手段Ａは、ドアＤの内側面に固着する樹脂製の取付体１０と、取付体１０に被せて長さ方向に摺動自在に係合する金属製のロックバー１１を備えてなる。取付体１０は、幅方向図中上下の両側面に、長さ方向に沿って細長い平行な係合溝１２を凹設して断面略Ｈ状に成形してなる。そして、取付体１０において、外側の取付面１０ａには、その長さ方向両端寄りに、内周に雌ねじ穴を螺設した管軸状のスタッド１３・１３を立設すると共に、スタッド１３・１３間中央に、回転軸１４を回転自在に立設している。回転軸１４は、樹脂製で、角軸状の本体軸部１４ａの基端にピニオン１５を設け、ピニオン１５を、取付体１０の取付面１０ａとは反対の内側に突設させてなる。
【００１８】
ロックバー１１は、長さ方向両端にキャップ１７を嵌め付けた略みぞ形状をなすが、特に、溝部開口１６の対向する開口縁に沿って、取付体１０の係合溝１２と係合する鍔状のガイド片１１ａを設け、ガイド片１１ａの片縁に歯部を螺設してラック２０を形成し、ラック２０にピニオン１５を噛み合わせて回転軸１４を保持してなる。なお、ガイド片１１ａの長さ方向両端には、ロックバー１１の施錠位置と解錠位置間での摺動ストロークを規制する突当て段部１１ｂが設けられている。そして、ロック手段Ａは、ロックバー１１を、取付体１０に対し施錠位置と解錠位置間で左右にスライドさせると、ラック２０がピニオン１５と噛み合いながら移動するので、ピニオン１５は回転して回転軸１４を一体に回転するように組み立ててなる。
【００１９】
一方、表示装置Ｂは、図３、図４および図５に示すように、回転軸１４の回転連結軸１４ｂと、取付板１９と、回転表示体３０と、表示ケース４０を備える。回転連結軸１４ｂは、前記本体軸部１４ａの角軸形状に合わせて軸芯に略矩形状の中空穴２１をあけた管軸部２２を有し、その管軸部２２の先端に小歯車２５を設けてなる。取付板１９には、中央に回転連結軸１４ｂを通す挿通穴２３を設け、挿通穴２３の両側にスタッド１３・１３を通す挿通穴２４を設けてなる。
【００２０】
回転表示体３０は、共に円形の樹脂製の表示板３１と表示シール３２とからなる。表示板３１は、円盤部３３の内表面に、回転連結軸１４ｂ上の小歯車２５と噛み合う環状の内歯車３５を設けてなる。内歯車３５には、外周面に環状係合溝３５ａを凹設してなる。円盤部３３には、中心に非常解錠用の小さな鍵挿入穴３４を設ける一方、外周縁にギヤ状に刻んで形成した把持部３３ａを設けてなる。表示シール３２は、中心に鍵挿入穴３４にあわせて小穴３６を設け、裏面に粘着部を形成する一方、表面を、等分に２つに色分けし、各々半円の不使用区分表示面３２ａと、使用区分表示面３２ｂを形成し、例えば不使用区分表示面３２ａに白色、使用区分表示面３２ｂに赤色を施してドアＤの施解錠状態を識別表示するようになっている。そこで、内歯車３５を有した回転表示体３０は、表示シール３２を、表示板３１の円盤部３３の外表面に貼着して構成してなる。
【００２１】
表示ケース４０は、樹脂製で、回転表示体３０を回転自在に保持するベースの取付基板４５と、取付基板４５に係合させて装着する扁平カバー５０とで扁平な薄箱状に組み立ててなる。取付基板４５は、中央部に、回転表示体３０の外形状に合わせてＵ形状の切欠き穴４１を設けてなる。切欠き穴４１には、その内周縁に沿って、回転表示体３０の環状係合溝３５ａと対応する係合段部４１ａを凸設している。また、取付基板４５には、切欠き穴４１の両側に一対のねじ貫通穴３９を穿設してなる。
【００２２】
更に、取付基板４５には、切欠き穴４１を間に挟んだ対角位置に、ストッパピン４２・４３を嵌め込む取付穴４６・４７を厚さ方向に凹設している。取付穴４６・４７は、ストッパピン４２・４３の外形に合わせた凹形状をなす段付きの角穴部４６ａ・４７ａと、その奥側で一段細穴に形成したバネ収納穴部４６ｂ・４７ｂからなる。ストッパピン４２・４３は、底面に小径なバネ嵌合穴４８を穿設した基部４２ａ・４３ａと、基部４２ａ・４３ａからそれぞれ突出する一段細軸なピン頭部４２ｂ・４３ｂとからなる。一方のストッパピン４２は、ピン頭部４２ｂにテーパ面４２ｃを有してなる。ストッパピン４２・４３は、バネ嵌合穴４８に付勢ばね４９の一端を嵌め込んだ状態で、ばね他端をバネ収納穴部４６ｂ・４７ｂに嵌め入れて取付基板４５の取付穴４６・４７内に組み込む。そのとき、一方のストッパピン４２は、ピン頭部４２ｂのテーパ面４２ｃを切欠き穴４１側に向けて取付穴４６内に組み込む。そして、ストッパピン４２・４３は、ピン頭部４２ｂ・４３ｂを取付穴４２・４３の角穴部４６ａ・４７ａから出没自在に突出させた状態で、基部４２ａ・４３ａを角穴部４６ａ・４７ａ内に組み込んでなる。
【００２３】
扁平カバー５０は、平板部５０ａの幅方向両側縁に、それぞれ取付基板４５の両側部４５ａのテーパ付側面形状に合わせて屈曲させた係合片部５０ｂ・５０ｃを設け、一側の係合片部５０ｂの一端寄りに、ストッパピン４２のピン頭部４２ｂに合わせて、矩形に開けた係合穴５１を設ける一方、他側の係合片部５０ｃには、長さ方向に細長い逃げ穴５２を設けてなる。また、扁平カバー５０には、平板部５０ａの中央近くの偏心位置において、やや係合片部５０ａ寄りに表示窓５３を開けてなる。
【００２４】
そこで、表示装置Ｂでは、取付基板４５の係合段部４１ａに、回転表示体３０の環状係合溝３５ａを係合させると共に、円盤部３３を切欠き穴４１上に係止させて、回転表示体３０を取付基板４５で回転自在に保持する。また、回転表示体３０には、内歯車３５に小歯車２５を噛み合わせると共に、回転連結軸１４ｂを取付板１９の挿通穴２３に貫挿させてから、その取付板１９を取付基板４５に張り合わせてねじ止めしてなる。一方、この取付基板４５には、ストッパピン４３のピン頭部４３ｂを逃げ穴５２に挿通させた状態で、扁平カバー５０を係合してスライドさせながら装着する。そのとき、扁平カバー５０は、係合片部５０ｂの矩形係合穴５１側の端縁が取付穴４６から突出状態にあるストッパピン４２のテーパ面４２ｃに当ると、いったんストッパピン４２が付勢ばね４９に抗して取付穴４６内に押し込まれて再び突出し、ピン頭部４２ｂが矩形係合穴５１に掛け止められる。これによって、扁平カバー５０は、ストッパピン４２により抜け止めした掛け止め状態で取付基板４５に組み付けられる。従って、扁平カバー５０は、ストッパピン４２のピン頭部４２ｂを取付穴４６内に押し下げると、取付基板４５に対する掛け止め状態が解除され、これによって、ストッパピン４３が係合した逃げ穴５２の長さ範囲において、回転表示体３０を覆う被覆位置と、外部に開放する開放位置との間で、取付基板４５にスライド自在に被着し、以って、表示ケース４０が組み立てられてなる。よって、表示装置Ｂには、図１および図２に示すように、扁平な表示ケース４０内に、内歯車３５と小歯車２５を同一平面上で噛み合わせて、ロックバー１１の摺動ストロークに対し回転表示体３０を半回転以内に減速する減速機構Ｇを組み込んでなる。
【００２５】
表示装置Ｂは、以上のように構成されるので、ドアロック具を、ドアＤに取り付けるときは、まずドアＤの内側から、ロック手段Ａの取付体１０をドアＤの内側面に当接し、回転軸１４とスタッド１３・１３をドアＤ内に挿入する。一方、表示装置Ｂ側では、扁平カバー５０を、回転表示体３０とねじ貫通穴３９が外部に臨む開放位置へ取付基板４５に対しスライドさせて、表示ケース４０を開状態にしてから、ドアＤの外側から、その外側面に表示装置Ｂの取付板１９を当接し、取付板１９から突出する回転連結軸１４ｂを本体の回転軸１４にスプライン嵌合して連結すると共に、取付基板４５のねじ貫通穴３９に止めねじ５５を挿通させてスタッド１３・１３に螺着し、取付体１０と取付板１９とでドアＤを挟んで締着する。しかる後、扁平カバー５０を取付基板４５に対して開放位置からスライドさせて、図６に示すように、被覆位置へ戻して表示ケース４０を閉じれば、これで以って、表示装置Ｂにおいて、回転表示体３０の何れかの区分表示面３２ａ・３２ｂが表示窓５３から表示されるように、ドアロック具は簡単にドアＤに取り付けられる。
【００２６】
さて、上述のようにドアＤにドアロック具は取り付けられるので、ドアＤを内側からロックするときには、ロックバー１１を図１中矢示方向に摺動させると、片側の突当て段部１１ｂが取付体１０に突き当たり、ロックバー１１は施錠位置で止まる。すると、図１中鎖線で示すように、ロックバー１１の前端部がドアＤとパネル状のドア枠Ｆ間に跨る位置まで突出し、ドア枠Ｆに固着した止め金具６０に係合してドアＤが施錠される。すると、ロックバー１１のスライド動作に応じて、ラック２０でピニオン１５が噛合回転して回転軸１４および小歯車２５を有した回転連結軸１４ｂが一体に回転するため、減速機構Ｇが作動し、小歯車２５は内歯車３５を回転して減速する。すると、内歯車３５を有した回転表示体３０は、ロックバー１１の摺動ストロークに対し半回転以内に減速して回転し、表示ケース４０の表示窓５３から赤色の使用区分表示面３２ｂを臨ませて、ドアＤがロック状態で使用中であることを表示する。このとき、仮にロックバー１１を施錠位置までスライドさせずにドア枠Ｆに引っ掛かった状態の中途半端な操作をしても、表示ケース４０の表示窓５３から表示される表示面は使用区分表示面３２ｂが大半を占める、ドアＤがロック状態の使用中であることを知ることができる。
【００２７】
反対に、ドアＤのロックを解除するときは、ロックバー１１を矢示方向と逆向きに摺動摺動させると、他側の突当て段部１１ｂが取付体１０に突き当たり、ロックバー１１は解錠位置で止まり、止め金具６０との係合が外れてドアＤのロックが解除される。すると、今度は、ロックバー１１のスライド方向に応じて、小歯車２５と内歯車３５の噛み合いによる減速機構Ｇが逆回転作動し、回転表示体３０は、ロックバー１１の摺動ストロークに対し半回転以内に逆回転して減速し、表示ケース４０の表示窓５３から臨む表示面が白色の不使用区分表示面３２ａに切り換わり、ドアＤがロック解除されて不使用状態であることを表示する。このときも、仮にロックバー１１を解錠位置までスライドさせずにドアＤが開いている状態の中途半端な操作をしても、表示ケース４０の表示窓５３から表示される表示面は不使用区分表示面３２ａが大半を占める、ドアＤを開けて使用することができることを知ることができる。
【００２８】
ところで、図示表示装置Ｂでは、ドアの施錠状態で使用者がトイレ内で倒れるなど、緊急事態の発生した非常時は、ドアＤの外側から、図７、図８および図９に示すように、扁平カバー５０を回転表示体３０が外部へ臨む開放位置にスライドさせて、表示ケース４０を開けてから、円盤部３３の把持部３３ａを摘んで、回転表示体３０を、矢示する解錠方向へ回動する。すると、内歯車３５と小歯車２５が噛合回転して回転連結軸１４ｂと一体に回転軸１４が回転するため、ラック２０に噛み合うピニオン１５が回転し、そのピニオン１５の回転によってロックバー１１を解錠位置へとスライドし、そのロックバー１１の前端が前記止め金具６０から外れてドアＤのロックが解除される。表示装置Ｂでは、このように表示ケース４０を開けて回転表示体３０を手回しするだけで、非常解錠専用の操作キーなどの非常解錠用工具をわざわざ用いずとも、そのまま簡単にドアＤを非常解錠することができる。
【００２９】
なお、図示例では、敢えて、非常解錠用の操作キーを使って非常解錠するときは、回転表示体３０の円盤部３３の鍵挿入穴３４に操作キーを差し込んで、回転表示体３０解錠方向へ回動すれば、ドアのロックを解除することができる。
【図面の簡単な説明】
【００３０】
【図１】本発明の一例である表示装置を破断して示すドアロック具の平面図である。
【図２】ドアロック具をロック手段と表示装置とに分解して示す斜視図である。
【図３】表示装置の分解斜視図である。
【図４】表示装置を図３と反対向きで示す分解斜視図である。
【図５】表示装置を示す横断面図である。
【図６】ドアロック具の全体組立斜視図である。
【図７】ドアロック具を、表示装置の表示ケースを開けて非常解錠動作を説明する斜視図である。
【図８】ドアロック具を図７と向きを変えて示す斜視図である。
【図９】表示装置の表示ケースを開けて非常解錠動作を説明する横断面図である。
【図１０】従来のドアロック具に備えたロック手段の内部構造を示す側面図である。
【図１１】従来の表示装置を破断して示す他のドアロック具を示す平面図である。
【符号の説明】
【００３１】
Ａ              ロック手段
Ｂ              表示装置
Ｄ              ドア
Ｇ              減速機構
１０            取付体
１１            ロックバー
１４            回転軸
１４ｂ          回転連結軸
１５            ピニオン
２０            ラック
２５            小歯車
３０            回転表示体
３２ａ・３２ｂ  区分表示面
３５            内歯車
４０            表示ケース
４５            取付基板
５０            扁平カバー
【図１】
2008144450.tif 000003
【図２】
2008144450.tif 000004
【図３】
2008144450.tif 000005
【図４】
2008144450.tif 000006
【図５】
2008144450.tif 000007
【図６】
2008144450.tif 000008
【図７】
2008144450.tif 000009
【図８】
2008144450.tif 000010
【図９】
2008144450.tif 000011
【図１０】
2008144450.tif 000012
【図１１】
2008144450.tif 000013
【手続補正書】
【提出日】平成20年4月4日(2008.4.4)
【手続補正１】
【補正対象書類名】特許請求の範囲
【補正対象項目名】全文
【補正方法】変更
【補正の内容】
【特許請求の範囲】
【請求項１】
内周に雌ねじ穴を螺設した管軸状のスタッドを取付体に立設し、該取付体にロックバーを摺動自在に係合させた内側のロック手段とでドアを挟み、そのドアの外側から止めねじを前記スタッドに螺着してドアの外側に締着する表示装置であって、
前記ロックバーを摺動させて前記ドアを内側から施解錠すると、そのロックバーの摺動を、前記ロック手段に備えたラックとピニオンとの噛み合いで回転運動に変換し、その回転を外側の回転表示体に伝達し、該回転表示体の異なる区分表示面を切り換えて表示窓からドアの施解錠状態を表示するドアロック具の表示装置において、
前記ピニオンを基端に有した回転軸の先端に小歯車を備える一方、前記回転表示体に、外表面に前記区分表示面を形成した円盤部と、外周に環状係合溝を凹設し、内周に歯を切った環状の内歯車を設け、該内歯車に前記小歯車を同一平面上で噛み合わせ、これら内歯車と小歯車だけで、前記ロックバーの摺動ストロークに対し前記回転表示体を半回転以内に減速する減速機構を形成し、該減速機構を含めて前記回転表示体を表示ケース内に収納し、
該表示ケースは、
取付基板と、該取付基板に前記回転表示体を覆う被覆位置と外部に開放する開放位置との間でスライド自在に係合し、前記表示窓を開けた扁平カバーとで薄箱状に形成し、
前記取付基板に、前記止めねじを挿通させるねじ貫通穴と、前記回転表示体の外形状に合わせて切欠き穴を設け、該切欠き穴の内周縁に前記内歯車の環状係合溝と対応する係合段部を凸設し、該係合段部に前記環状係合溝を係合させると共に前記切欠き穴に前記円盤部を係止させて、前記回転表示体を前記取付基板で回転自在に保持してなることを特徴とする、請求項１に記載のドアロック具の表示装置。
【手続補正２】
【補正対象書類名】明細書
【補正対象項目名】００１１
【補正方法】変更
【補正の内容】
【００１１】
そこで、上述した課題を解決すべく、請求項１に記載の発明は、たとえば以下に示す図示実施の形態のとおり、内周に雌ねじ穴を螺設した管軸状のスタッドを取付体に立設し、該取付体にロックバーを摺動自在に係合させた内側のロック手段とでドアを挟み、そのドアの外側から止めねじを前記スタッドに螺着してドアの外側に締着する表示装置であって、前記ロックバーを摺動させて前記ドアを内側から施解錠すると、そのロックバーの摺動を、前記ロック手段に備えたラックとピニオンとの噛み合いで回転運動に変換し、その回転を外側の回転表示体に伝達し、該回転表示体の異なる区分表示面を切り換えて表示窓からドアの施解錠状態を表示するドアロック具の表示装置において、前記ピニオンを基端に有した回転軸の先端に小歯車を備える一方、前記回転表示体に、外表面に前記区分表示面を形成した円盤部と、外周に環状係合溝を凹設し、内周に歯を切った環状の内歯車を設け、該内歯車に前記小歯車を同一平面上で噛み合わせ、これら内歯車と小歯車だけで、前記ロックバーの摺動ストロークに対し前記回転表示体を半回転以内に減速する減速機構を形成し、該減速機構を含めて前記回転表示体を表示ケース内に収納し、該表示ケースは、取付基板と、該取付基板に前記回転表示体を覆う被覆位置と外部に開放する開放位置との間でスライド自在に係合し、前記表示窓を開けた扁平カバーとで薄箱状に形成し、前記取付基板に、前記止めねじを挿通させるねじ貫通穴と、前記回転表示体の外形状に合わせて切欠き穴を設け、該切欠き穴の内周縁に前記内歯車の環状係合溝と対応する係合段部を凸設し、該係合段部に前記環状係合溝を係合させると共に前記切欠き穴に前記円盤部を係止させて、前記回転表示体を前記取付基板で回転自在に保持してなることを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１４
【補正方法】変更
【補正の内容】
【００１４】
請求項１に記載の発明によれば、加えて、ドアの施錠状態で使用者がトイレ内で倒れるなど、緊急事態の発生した非常時は、ドアの外側から扁平カバーを回転表示体が外部に臨む開放位置にスライドさせて表示ケースを開けてから、回転表示体を解錠方向へ回動すると、減速機構の内歯車と小歯車が噛合回転して回転軸が回転するため、ラックに噛み合うピニオンが回転し、そのピニオンの回転によってロックバーを解錠位置へとスライドしてドアのロックが解除され、そのように表示ケースを開けて回転表示体を手回しするだけで、非常解錠専用の操作キーなどの非常解錠用工具をわざわざ用いずとも、そのまま簡単にドアを非常解錠することができる。